(57)【特許請求の範囲】
【請求項１】
前面に開口した収納箱の内部に消火栓弁と消火ホースを収納した消火栓装置に於いて、
前記収納箱は、前面の開口部にファスナーにより開閉自在な矩形状のシート部材を配置し、
前記ファスナーは、開放時に開放個所で二方に分離され、
前記シート部材は、第１辺を前記開口部の一縁に固定して前記一縁を開放不可とし、当該第１辺の対辺となる第２辺に前記ファスナーの一方を設けて前記ファスナーの他方と着脱自在とし、第３辺及び第４辺を非拘束状態で前記開口部の他縁に一致させたことを特徴とする消火栓装置。
【請求項２】
請求項１記載の消火栓装置に於いて、
前記収納箱は、前記開口部の上縁に前記ファスナーの他方を設け、
前記シート部材は、前記第１辺を前記開口部の下縁に固定すると共に、前記第２辺を前記ファスナーにより前記開口部の上縁に着脱自在に装着し、前記ファスナーを分離した場合に前記シート部材は下方に開いて前記開口部を前面に開放することを特徴する消火栓装置。
【請求項３】
請求項１記載の消火栓装置に於いて、
前記収納箱は、前記開口部の側縁の一方に前記ファスナーの他方を設け、
前記シート部材は、前記第１辺を前記開口部の側縁の他方に固定すると共に、前記第２辺を前記ファスナーにより前記開口部の側縁の一方に着脱自在に装着し、前記ファスナーを分離した場合に前記シート部材は前記開口部の側縁の他方側に開いて前記開口部を前面に開放することを特徴とする消火栓装置。
【請求項４】
請求項１記載の消火栓装置に於いて、前記シート部材は、左右に配置された第１及び第２のシート部材からなり、前記各シート部材の第１辺を前記開口部の側縁の各々に固定すると共に、各シート部材の第２辺同士を前記ファスナーにより着脱自在に連結し、前記ファスナーを分離した場合に前記各シート部材は左右に開いて前記開口部を前面に開放することを特徴する消火栓装置。
【請求項５】
請求項１記載の消火栓装置に於いて、前記シート部材は、折畳み自在な蛇腹構造を備えたことを特徴とする消火栓装置。
【請求項６】
請求項１記載の消火栓装置に於いて、前記シート部材は、不燃性又は難燃性の材料で形成したことを特徴とする消火栓装置。
【発明の詳細な説明】
【技術分野】
【０００１】
本発明は、火災時の消火活動に使用される消火ホースと消火栓弁を収納した消火栓装置に関する。
【背景技術】
【０００２】
従来、建物内で発生した火災を消火するための消火栓装置としては例えば図９乃至図１１に示すのもが知られている。
【０００３】
図９は従来の消火栓装置の正面図であり、消火栓装置１００は金属製の収納箱１０２の前面に、図示しない蝶番構造等を介して開閉自在に消火栓扉１０４を設け、消火栓扉１０４の上部には通報パネル１０６が設けられ、ここに発信機１０８、赤色表示灯１１０、及び内蔵した警報用スピーカに対応して音響孔１１２を設けている。
【０００４】
赤色表示灯１１０は常時点灯し、消火栓装置１００の設置場所が遠方から視認できるようにしている。火災時には、発信機１０８の中央に設けたボタンを押圧操作することでボタン内側のスイッチオンすると、発信信号が監視室の防災受信盤に送信されて防災受信盤の報知部から火災警報が出されると共に、防災受信盤から各所に設置された地区音響端末に対して地区音響信号が送られて所定の各場所でも警報音が出力される。
【０００５】
図１０は図９に示した消火栓装置１００の消火栓扉１０４を取り外して内部構造を示した説明図であり、収納箱１０２の内部には消火栓弁１１４が配置され、消火栓弁１１４には先端にノズル１１８を装着した消火ホース１１６が接続され、ホルダー１２０に折り畳み状態で掛けることで引き出し自在に収納している。図１１はこの消火栓扉１０４を開放した状態であり、図１０に示した内部構造は省略している。
【０００６】
通常時、消火栓装置１００の消火栓扉１０４は図９に示した如く閉じられており、適宜の扉ロック機構等により閉状態に維持されている。そして火災が発生した場合には、扉ロック機構等を操作して扉閉状態を解除して図１１のように消火栓扉１０４を開き、例えば一人がノズル１１８を持ちながら消火ホース１１６を引き出して火災発生場所（消火対象）に向かい、もう一人が発信機１０８を操作して通報すると共に消火栓弁１１４を開放操作するといったように、二人ないしそれ以上で消火活動を行う。
【０００７】
これは、ホースの引出中に消火栓弁１１４を開放すると、水圧とその反動等によりホースが適切に引き出せなくなったり、危険が生じたりするといった問題を回避するため、また使用中、消火栓扉の開放を人の手で維持する必要がある等のためである。
【０００８】
このように、少なくとも二人操作を必要とする消火栓装置は１号消火栓として法的に定められており、一方、一人操作を可能とする消火栓として放水による反動力を抑えると共に保形ホースを使用した２号消火栓が法的に定められている。
【先行技術文献】
【特許文献】
【０００９】
【特許文献１】特開平９−３８２３１号公報
【発明の概要】
【発明が解決しようとする課題】
【００１０】
ところで、従来、このような消火栓装置を使用した消火活動における統計結果として、火災発生時の消火栓の使用例に対し成功例は１０％に留まることが報告されている。これはスプリンクラー消火設備の成功例が６０〜７０％にあることと対比すると、消火栓の成功例の比率はかなり低い結果となっている。
【００１１】
このように消火栓装置の成功例が低い要因は、消火栓装置は通常は図９に示したように消火栓扉１０４が閉じていて内部を見ることができないため、図１０に示すような消火栓弁と消火ホースを収納した内部構造が充分知られておらず、また、火災が発生した場合に図１１のように消火栓扉１０４を開いても、角度によっては扉に遮られて内部が見えづらいために扱い難いことに起因している。また、消火栓扉１０４の前にものが置かれている場合などには、扉が迅速に開放できないといったことも考えられる。
【００１２】
また日常的に消火栓扉を開いて内部を確認するといったことは、金属製の消火栓扉を使用して堅牢に閉鎖している印象を強く与えるため、扱いづらい要因のひとつともなっている。
【００１３】
一方、従来の消火栓装置は、耐火構造を実現するために、金属製の収納箱に同じく金属製の消火栓扉を設けており、開閉構造やロック構造等が複雑であるだけでなく所定以上の強度も求められ、コスト的に高価になるという問題もあった。
【００１４】
本発明は、上記問題点を解決し、消火栓装置の開放構造を簡単にして扱い易くすると共にコストも低減する消火栓装置を提供することを目的とする。
【課題を解決するための手段】
【００１５】
本発明は、前面に開口した収納箱の内部に消火栓弁と消火ホースを収納した消火栓装置に於いて、
収納箱は、前面の開口部にファスナーにより開閉自在な矩形状のシート部材を配置し、
ファスナーは、開放時に開放個所で二方に分離され、
シート部材は、第１辺を開口部の一縁に固定して一縁を開放不可とし、当該第１辺の対辺となる第２辺にファスナーの一方を設けてファスナーの他方と着脱自在とし、第３辺及び第４辺を非拘束状態で開口部の他縁に一致させたことを特徴とする。
【００１６】
ここで、収納箱は、開口部の上縁にファスナーの他方を設け、シート部材は、第１辺を開口部の下縁に固定しすると共に、第２辺をファスナーにより開口部の上縁に着脱自在に装着し、ファスナーを分離した場合にシート部材は下方に開いて開口部を前面に開放する。又は、収納箱は、開口部の側縁の一方にファスナーの他方を設け、シート部材は、第１辺を開口部の側縁の他方に固定すると共に、第２辺をファスナーにより開口部の側縁の一方に着脱自在に装着し、ファスナーを分離した場合にシート部材は開口部の側縁の他方側に開いて開口部を前面に開放する。更に、シート部材を左右に配置された第１及び第２のシート部材とし、各シート部材の第１辺を開口部の側縁の各々に固定すると共に、各シート部材の第２辺同士をファスナーにより着脱自在に連結し、ファスナーを分離した場合に各シート部材は左右に開いて開口部を前面に開放するようにしても良い。
【００１７】
シート部材は、折畳み自在な蛇腹構造を備えるようにしても良く、不燃性又は難燃性の材料で形成するのが好ましい。
【発明の効果】
【００１８】
本発明によれば、消火栓弁と消火ホースを収納した収納箱の開口を、ファスナーにより開閉自在な不燃性又は難燃性のシート部材で覆うようにしたため、従来の金属製の消火栓扉に比べ、構造が大幅に簡略化されると共に軽量化され、コストダウンを図ることができる。
【００１９】
またファスナーの操作によりシート部材を開くことで開放スペースを縮小できるので、消火栓扉のように装置前側に飛び出すことがなく、また消火栓弁と消火ホースを収納した内部構造を外部から容易に確認することができ、その結果、取扱いが容易となり、消火栓装置による成功例の比率を高めることが期待できる。
【図面の簡単な説明】
【００２０】
【図１】本発明による消火栓装置の実施形態を示した説明図
【図２】図１の実施形態について繊維シートを開放した状態を示した説明図
【図３】図１の繊維シート部材に蛇腹構造を設けた他の実施形態を示した説明図
【図４】図３の実施形態について繊維シートを開放した状態を示した説明図
【図５】繊維シートを横開きとする本発明による消火栓装置の実施形態を示した説明図
【図６】図５の実施形態について繊維シートを開放した状態を示した説明図
【図７】図５の繊維シートに蛇腹構造を設けた他の実施形態を示した説明図
【図８】図７の実施形態について繊維シートを開放した状態を示した説明図
【図９】従来の消火栓装置を示した正面図
【図１０】従来の消火栓装置について消火栓扉を取り外して内部構造を示した説明図
【図１１】従来の消火栓装置について消火栓扉の開放状態を示した説明図
【発明を実施するための形態】
【００２１】
図１は本発明による消火栓装置の実施形態を例示した説明図である。図１において、本実施形態の消火栓装置１０は、内部に図１０の従来例と同様に、消火栓弁と消火ホースを収納した金属製の収納箱１２を備え、収納箱１２の前面の開口１４に、ファスナー２８により開閉自在な不燃性又は難燃性の繊維シート２４を配置している。繊維シート２４は下端を開口１４の下縁に固定しており、側縁は収納箱１２の側面前方枠（開口１４の前方側縁）に拘束されずフリー状態となっている。なお、消火栓装置１０の前面側を「前方」とする。
【００２２】
ファスナー２８は公知のファスナー構造となっており、テープ２８ｃ，２８ｄに、それぞれ相互に噛み合い可能なエレメント２８ａ，２８ｂを設けて構成され、エレメント２８ａを配置したテープ２８ｃを、下縁を収納箱の底面側前方枠（開口１４の前方下縁）に固定される不燃性又は難燃性の繊維シート２４の上縁に装着し、またエレメント２８ｂを配置したテープ２８ｄを収納箱１２の開口１４前方上縁に固定した不燃性又は難燃性の固定シート２６の下縁に装着し、引手３２を設けたスライダ３０をエレメント２８ａ，２８ｂの右端から挿入して図示のように左端に移動操作することでファスナー２８のエレメント２８ａと２８ｂを相互に噛み合わせて、繊維シート２４の開口１４を閉じている。
【００２３】
また収納箱１２の上部には通報パネル１６が設けられ、ここに発信機１８、赤色表示灯２０、及び内蔵したスピーカなどの音響孔２２を設けている。
【００２４】
図２は図１の実施形態につき開口を開いた状態を示した説明図である。火災が発生した場合には、図１のように閉じているファスナー２８の引手３２を持ってスライダ３０を右に移動することでエレメント２８ａと２８ｂの噛み合いを解除しつつファスナー２８を開く。
【００２５】
ファスナー２８を開いてスライダ３０を右端まで移動すると、下側に位置するエレメント２８ａがスライダ３０から外れ、これによって繊維シート２４がフリー状態となり、その自重により図２のように下側に降り、収納箱１２の開口１４を前面に開放して内部にアクセス可能な状態になる。エレメント２８ｂの右端にはスライダ３０の脱落防止構造が設けられており、スライダ３０をファスナー２８の右端まで移動しても、スライダ３０がエレメント２８ｂから脱落することはない。
【００２６】
前面に開放した開口１４の内部には、図示を省略しているが、図１０の従来例と同様に、消火栓弁と消火ホースが収納されており、操作者の一人がノズルを持ちながら消火ホースを引き出して火災発生場所（消火対象）に向かい、もう一人の操作者が発信機１８のボタンを押し、消火栓弁を開放し、この場合は二人で消火活動を行うことになる。
【００２７】
消火活動が終了した場合には、消火栓弁を閉じ、消火ホースの水抜きと乾燥を行った後、収納箱１２内のホルダーを使用して収納し、これが済んだら繊維シート２４を引き上げてそのエレメント２８ａの右端をスライダ３０に嵌め入れ、引手３２によりスライダ３０を左端まで移動して図１のようにファスナー２８を閉じて開口１４を繊維シート２４で塞ぐようにする。
【００２８】
このように本実施形態による消火栓装置１０における収納箱１２の開口１４の開閉は、ファスナー２８の開閉操作による不燃性又は難燃性の繊維シート２４を使用していることから、従来の金属製の消火栓扉を設けた場合に比べ、構造が簡単で軽量化され、コストを低減することができる。
【００２９】
また図２のようにファスナー２８を開いて繊維シート２４を降ろして開口１４を前面に開放した場合、下に降ろした繊維シート２４は内部を見る際にほとんど妨げとならず、内部に収納した消火栓弁や消火ホースの状態を容易に把握することができ、消火栓装置１０を適切に操作して迅速な消火活動を行なうことができる。
【００３０】
図３は図１の繊維シートとして蛇腹付繊維シートを用いた他の実施形態を例示した説明図である。図３において、収納箱１２の開口１４にはファスナー２８により開閉自在に蛇腹付繊維シート３４を設けている。蛇腹付繊維シート３４は、所定の幅をもつ例えば７つの剛性シート部３４ａを薄シート部３４ｂで連設した構造としている。ファスナー２８の構成や取扱方法は図１乃至図２の実施形態と同様である。
【００３１】
図３の状態で消火栓装置を使用する場合には、ファスナー２８を開くと、図４に示すように、蛇腹付（折りたたみ式）繊維シート３４は折り畳まれながら下に降り、開口１４を前面に開放し、内部の消火栓弁の操作や消火ホースの取り出しを可能とする。
【００３２】
この場合、ファスナー２８の開放でフリーとなった蛇腹付繊維シート３４は下部に折畳み状態でコンパクトにまとまって位置し、開放時の見栄えを良くし、また手前側に不必要に飛び出してしまうようなことがなく、例えば消火栓装置１０を使用した後に消火ホースを内部に収納する復旧作業の妨げにならないメリットがある。
【００３３】
また例えば、薄シート部３４ｂの両端に、左右方向に所定量突出する突起部を有するガイド部材を設け、収納箱１２側面（左右面）内側前方の対応する位置に、突起部を上下にスライド可能に収容する溝部を有するレールを設け、蛇腹つき繊維シートの前後方向への移動を規制して、開放に伴う上下方向の移動をより正確にすることもできる。
【００３４】
図５は本発明のよる消火栓装置の他の実施形態を例示した説明図であり、本実施形態にあっては、収納箱の開口に設けた繊維シートをファスナーにより左右に開くようにしたことを特徴とする。
【００３５】
図５において、収納箱１２の開口１４には、左右に分割した不燃性又は難燃性の一対の繊維シート片３６ａ，３６ｂが配置される。繊維シート片３６ａ，３６ｂは外側を開口１４の側縁に固定すると共に繊維シート片３６ａ，３６ｂの内側合せ部分の縦方向にファスナー２８を配置して開閉自在に連結している。
【００３６】
即ち、ファスナー２８におけるエレメント２８ａ，２８ｂを配置したテープ２８ｃ，２８ｄを、繊維シート片３６ａ，３６ｂの内側合せ部の縦方向に装着し、スライダ３０を下端からエレメント２８ａ，２８ｂに挿入して図示のように引手３２を持って上端に移動することで、ファスナー２８を閉じて開口１４を閉鎖している。
【００３７】
消火栓装置１０を使用する場合は、ファスナー２８の引手３２を持ってスライダ３０を下端まで降ろすことでファスナー２８を開き、繊維シート片３６ａ，３６ｂの噛み合い固定を解除する。
【００３８】
これによって図６に示すように、繊維シート片３６ａ，３６ｂは左右に開くことができ、収納箱１２の開口１４を前方に開放し、内部の消火栓弁の操作及び消火ホースの取り出しを可能とする。
【００３９】
なお、繊維シート片の左右分割比は必ずしも１：１である必要は無く、ファスナーは開口１４の左右どちらかに偏って配置されても良い。もちろん、分割比をほぼ１：０とすることも妨げない。このことは、次の図７に示す蛇腹付繊維シートを使用する実施形態についても同様である。また同様に繊維シート片は必ずしも左右方向に分割する必要は無く、その効果を奏する範囲（分割比）において、上下方向に分割しても良い。このときの効果は図１及び図２に示した実施形態の場合に対応したものとなる。更に、蛇腹付繊維シートを上下片に分割する場合の効果は、図３および図４に示した実施形態に対応したものとなる。
【００４０】
図７は図６の繊維シートとして蛇腹付繊維シートを用いた他の実施形態を例示した説明図である。図７において、収納箱１２の開口１４にはファスナー２８により左右開閉自在に蛇腹付繊維シート片３８ａ，３８ｂを設けている。蛇腹付繊維シート片３８ａ，３８ｂは、所定の幅をもつ例えば３つの剛性シート部４０ａを薄シート部４０ｂで連設した構造としている。
【００４１】
蛇腹付繊維シート片３６ａ，３６ｂは外側端で開口１４の側縁に固定され、上端及び下端はフリーであり、中央の合せ部の各々にファスナー２８のエレメント２８ａ，２８ｂを配置したテープ２８ｃ，２８ｄを装着し、スライダ３０の移動で蛇腹付シート片３６ａ，３６ｂを開閉可能としている。
【００４２】
図７の状態で消火栓装置を使用する場合には、引手３２を持ってスライダ３０を下端に移動してファスナー２８を開き、図８に示すように、蛇腹付繊維シート３６ａ，３６ｂを左右に開くと、折り畳まれながら左右に開いて開口１４を前面に開放し、内部の消火栓弁の操作や消火ホースの取り出しを可能とする。
【００４３】
この場合、ファスナー２８の開放でフリーとなった蛇腹付繊維シート３６ａ，３６ｂは左右に折畳み状態でコンパクトにまとまって位置し、開放時の見栄えを良くし、また手前側に不必要に飛び出してしまうようなことがなく、例えば消火栓装置１０を使用した後に消火ホースを内部に収納する復旧作業の妨げにならないメリットがある。
【００４４】
また例えば、薄シート部４０ｂの両端に、上下方向に所定量突出する突起部を有するガイド部材を設け、収納箱１２上下面（天面および底面）内側前方の対応する位置に、突起部を左右にスライド可能に収容する溝部を有するレールを設け、蛇腹つき繊維シートの前後方向への移動を規制して、開放に伴う左右方向の移動をより正確にすることもできる。
【００４５】
なお、上記の実施形態は二人操作を行う消火栓を例にとっているが、一人操作を行う消火栓についても同様に適用できる。また、収納箱の内部に消火ポンプの起動スイッチボタンを設けた消火栓装置についても同様に適用できる。
【００４６】
また本発明の適用対象となる消火栓装置は屋内型に限らない。更に、上記各実施形態で示した消火栓装置の、例えば収納箱に内臓されるホース類や消火栓弁、通報パネル部の構成及び配置その他、扉部分以外の構成については任意であり、適宜の構成を採用して良い。要するに、消火栓装置の開口部に対し繊維シートとファスナーを用いた開閉構造を設け、本願の課題の一部又は全部を解決し、或いは若干でも改善するものであれば良い。
【００４７】
また上記の実施形態は線ファスナーを使用しているが、マジックテープ（Ｒ）などとして知られた面ファスナーを使用しても良い。
【００４８】
また、繊維シートは不燃性或いは難燃性素材であれば良く、金属繊維を用いることも妨げない。
【００４９】
また、図３、図４、図７、図８に示した蛇腹付（折りたたみ式）繊維シートは、それに代えて不燃性或いは難燃性を有する樹脂や金属等からなる軽量の板材シートを連設下ものとしても良い。
【００５０】
また本発明は、その目的と利点を損なうことのない適宜の変形を含み、更に、上記の実施形態に示した数値による限定は受けない。
【符号の説明】
【００５１】
１０：消火栓装置
１２：収納箱
１４：開口
１６：通報パネル
１８：発信機
２０：赤色表示灯
２２：音響孔
２４：繊維シート
２６：固定シート
２８：ファスナー
２８ａ，２８ｂ：エレメント
２８ｃ，２８ｄ：テープ
３０：スライダ
３２：引手
３４：蛇腹付繊維シート
３４ａ，４０ａ，：剛性シート部
３４ｂ，４０ｂ：薄シート部
３６ａ，３６ｂ：繊維シート片
３８ａ，３８ｂ：蛇腹付繊維シート片
【図１】
0005744565.tif 000002
【図２】
0005744565.tif 000003
【図３】
0005744565.tif 000004
【図４】
0005744565.tif 000005
【図５】
0005744565.tif 000006
【図６】
0005744565.tif 000007
【図７】
0005744565.tif 000008
【図８】
0005744565.tif 000009
【図９】
0005744565.tif 000010
【図１０】
0005744565.tif 000011
【図１１】
0005744565.tif 000012